Podtech/llm-jp-corpus-v4-ja_patent huggingface dataset:
(57)【要約】      （修正有）【課題】視覚的に足を細く見せる事と足の綺麗なラインを出すことを可能にしたパンティーストッキングを提供する。【解決手段】脚を細く見せるためにエアーブラスを使って、顔料と固着材の混合液をストッキングの太もも右側部及びふくらはぎ右側部、太もも左側部、ふくらはぎ左側部、アキレス腱後部に噴霧したことを特徴とする。【選択図】図１
0003176876.tif 000002
【実用新案登録請求の範囲】
【請求項１】
足を細く見せるためにエアブラシを使って顔料と固着剤の混合液をストッキングの特定の場所に噴霧する。
【考案の詳細な説明】
【技術分野】
【０００１】本考案は、顔料と固着剤の混合液をストッキングにエアブラシを使用して噴霧したストッキングに関するものである。
【背景技術】
【０００２】従来のストッキングは足を細く見せるために全体の色を濃い目にしたり、ストッキン本来の締め付ける力を強くしたり等により対応していた。
【考案の概要】
【考案が解決しようとする課題】
【０００３】足を細く見せるために従来のやり方では限界がある。従来は、ストッキングの編み方を変える事で、締め付け効果により足を細くみえるように意図したが、ストッキング装着時には、圧縮による余分な肉を移動することによることのみで、視覚的な効果はあまりみとめられなかった。
そこで顔料と固着剤の混合液を部分的に噴霧することにより陰影をつけ足を細く見せることが出来るようになり、前述の欠点を解決しようとするものである。
【課題を解決するための手段】
【０００４】陰影はエアブラシを使用して顔料と固着剤の混合液を噴霧することにより作る。この噴霧する部分の位置を明確にすることにより足を細く見せる事が出来て問題点を解決した。
【考案の効果】
【０００５】従来のストッキングとは違って足が細く見えるだけでなく、足のラインも綺麗に見えるようになる。
【図面の簡単な説明】
【０００６】
【図１】足の全体図である。
【図２】足の太もも部分である。
【図３】足のアキレス腱部分である。
【考案を実地するための形態】
【０００７】今迄のストッキング同様に装着すれば問題ないが、装着時のねじれおよびたるみには気をつける。
【実施例】
【０００８】以下添付図面に従って一実施例を説明する。
陰影を噴霧する部分は▲１▼，▲２▼，▲３▼，▲４▼，▲５▼各部分となる。６は横から見た部分で５ａは５を拡大したものである。
【符号の説明】
【０００９】▲１▼  太もも右側噴霧箇所
▲２▼  ふくらはぎ右側噴霧箇所
▲３▼  太もも左側噴霧箇所
▲４▼  ふくらはぎ左側噴霧箇所
▲５▼  アキレス腱後側噴霧箇所
▲６▼  足を横から見た図噴霧箇所
▲１▼ａ  太もも右側拡大図噴霧箇所
▲２▼ａ  ふくらはぎ右側拡大図噴霧箇所
▲３▼ａ  太もも左側拡大図噴霧箇所
▲４▼ａ  ふくらはぎ拡大図左側噴霧箇所
▲５▼ａ  アキレス腱後側拡大図噴霧箇所
【図１】
0003176876.tif 000003
【図２】
0003176876.tif 000004
【図３】
0003176876.tif 000005
【手続補正書】
【提出日】平成24年3月23日(2012.3.23)
【手続補正１】
【補正対象書類名】実用新案登録請求の範囲
【補正対象項目名】全文
【補正方法】変更
【補正の内容】
【実用新案登録請求の範囲】
【請求項１】
脚を細く見せるためにエアブラシを使って顔料と固着剤の混合液をストッキングの太もも右側及び、ふくらはぎ右側及び、太もも左側及び、ふくらはぎ左側及び、アキレス腱後側に噴霧したことを特徴としたパンティーストッキング。
(57)【要約】      （修正有）【課題】横書きの書式で、日常の生活に活かせて、非常時にも役立つ書式であって、手帳サイズ化と常用手帳に装着して構成する携帯家系図譜常用手帳を提供する。【解決手段】特に災害や、事故や発病時の緊急輸血に対する、親族の絆・互助を高める「血液型」の記入蘭を設け、平常の生活のなかでは、親族の人達が持っている、職業・特技の蘭を設け互いに活用できる書式とした。さらに、手帳サイズとし、既製の手帳にセットできる、セット表紙付き小冊子とし、化粧品バックなどに入れ、常時携帯できるファイル本を、制作した。【選択図】図１
0003176871.tif 000002
【実用新案登録請求の範囲】
【請求項１】
横書き血液型職業特技電話連絡方法の書込み蘭つき書式の、お化粧バックやポケット手帳サイズの、家系図と常用手帳、短歌、川柳、俳句などの用途別手帳を組み合わせた、携帯用五代家系図譜手帳。
【請求項２】
請求項１の家系図譜手帳の書込みは、手書き製作用書式とＰＣ書込み制作用ＰＣ・ＣＤソフトと用途別手帳を組み合わせ、手書きやＰＣで制作でき、容易に手帳カバーに組み合わせセット出来る製本方式の携帯用五代家系図譜手帳。
【考案の詳細な説明】
【技術分野】
【０００１】  本案は、家系図譜の活用に関する考案です。
「家系図譜」といえば、百年も五百年も家系をさかのぼり、代々のご先祖を揮毫した、立派な巻き軸装丁の家系図譜を連想されることでしょう。
考案の家系図譜は、常時携帯できることを前提にした家系図です。
家系図本来の目的は、ご先祖の徳を伝承し、家族・親族間の幸せを願うことでしょう。
この考案の「携帯家系図譜手帳」は、五代以内の家系図譜です。一代は＊あなたの父母：二代は＊子息＊三代は：孫：＊四代は：祖父母：＊五代は：彦孫を前提とした五代です。
携帯家系図譜は、特に、血液型、職業、特技、の書込み書式とし、精神とは別に、日常生活に役立つ事項が書き込める物にしています。
また、手帳型・とし、携帯の利便を前提にした製本にしています。
我が国の家族文化を、楽しく継承できる、この上ない考案といえましょう。
【背景技術】
【０００２】  従来も、今日も、手帳サイズの家系図譜・常用手帳に貼附できる物や、手帳に装着できる物、携帯を前提とした、家系図譜は見たことも聞いたこともありません。
本案の〔五代家系図〕の活性化や、横書き、そして家系図書式に「血液型」などを記入する蘭を設けた、家系図譜書式は、存在していません。
【考案が解決しようとする課題】
【０００３】  第一の課題は、家系図譜の本来の目的を損なうことなく、横書きの書式をつくるか。第二は、日常の生活に活かせて、非常時にも役立つ書式を考案するか。第三は、手帳サイズ化と常用手帳への装着と貼附方法。日本文化の尊厳を損なうことなく、継承することです。
【考案が解決するための手段】
【０００４】  第一の課題は、特に算用数字や欧文の使用に、横書き書式は活かせた。
第二の課題は、特に災害や、事故や発病時の緊急輸血に対する、親族の絆・互助を高める「血液型」の記入蘭を設けた。
また、平常の生活のなかでは、親族の人達が持っている、職業・特技の蘭を設け互いに活用できる書式とした。
第三は、手帳サイズとし、既製の手帳にセットできる、セット表紙付き小冊子。化粧品バックなどに入れ、常時携帯できるファイル本を、制作した。
第四、手帳は年別が常識、そこでデータの継続をＰＣ制作書式ＣＤをセットして容易にした。この方法により何年何代でも、家族史の継承が出来る。
【考案を実施するための形態】
【０００５】          考案の実施の形態を図面により説明します。
図１  「携帯用五代家系図譜」の系図書式」の説明図
▲１▼「家系図書式の手帳サイズ」▲２▼血液型記録らんの設置。
▲３▼横書き書式・職業・特技・経歴らんの設置。
図２  「五代家系図譜手帳」の製本の見取り図
▲１▼手帳セット型・製本」＊折り本形式。（常用住所録・家族系図・系図氏名一覧・お好み手帳・常用手帳・俳句帳などの…ファイリングカバー）
▲２▼手帳カバー」＊ファイリング。  ＯＰＣソフトＣＤ
【考案の効果】
【０００６】    本考案は上述の通りであります。
【０００７】  本案は、蔵書専用の「家系図譜」を、携帯用に考案し、現代社会生活の情報紙としたことの効果。
家系図譜情報は、家族親族の「災害発生時」の互助の基盤を形成した。
普段生活にあっては、家族や親族がもっている、生活技能・職業や特技を、お互いに活用しあえる情報書を制作、互恵活動を活発にした。
また、親族訪問旅行なとを、活発にし観光や日本の伝統文化の保存継承に少なからず効果が上げられた。
【図面の簡単な説明】
【０００８】
【図１】「携帯用五代家系図譜」の系図書式」の説明図
【図２】「五代家系図譜手帳」の製本の見取り図
【符号の説明】  ▲１▼．▲２▼．▲３▼．表記符号
【図１】
0003176871.tif 000003
【図２】
0003176871.tif 000004
【手続補正書】
【提出日】平成23年10月3日(2011.10.3)
【手続補正１】
【補正対象書類名】実用新案登録請求の範囲
【補正対象項目名】全文
【補正方法】変更
【補正の内容】
【実用新案登録請求の範囲】
【請求項１】
ポケット手帳サイズの血液型職業特技電話番号の書込み蘭つき書式の、携帯用家系図譜手帳。
【請求項２】
請求項１の携帯用家系図譜手帳は、手書き書込みとＰＣ製作用紙が容易に製本出来る構造本の携帯用家系図譜手帳。
【手続補正書】
【提出日】平成24年1月17日(2012.1.17)
【手続補正１】
【補正対象書類名】実用新案登録請求の範囲
【補正対象項目名】全文
【補正方法】変更
【補正の内容】
【実用新案登録請求の範囲】
【請求項１】
判型Ａ５版以内の氏名誕生日没日和暦西暦住所血液型職業親子親族等の続柄表示書式構造の家系図譜手帳と常用手帳を組み合わせ、書籍カバーにセット一冊にした携帯用家系図譜手帳。
【請求項２】
請求項１の携帯用家系図譜手帳の、常用手帳はビジネス手帳や俳句手帳川柳手帳住所録などを組み合わせて使用する、携帯用家系図譜手帳。
【手続補正書】
【提出日】平成24年4月13日(2012.4.13)
【手続補正１】
【補正対象書類名】実用新案登録請求の範囲
【補正対象項目名】全文
【補正方法】変更
【補正の内容】
【実用新案登録請求の範囲】
【請求項１】
「氏名、誕生日、和暦、西暦、住所、血液型、職業、及び親子親族等の続柄」の書式の「携帯家系図譜手帳」と、同じ形状のビジネスなどの「常用手帖」を書籍カバーで一冊にした携帯家系図譜常用手帳。
【請求項２】
請求項１の「常用手帳」は、ビジネス手帳、趣味の俳句や川柳などの手帖を、必要に応じて「携帯家系図譜手帳」と書籍カバーで一冊にした携帯家系図譜常用手帳。
(57)【要約】      （修正有）【課題】希望のヘアスタイルを実現するため、つむじ部分の癖によって悩みを抱えている事柄を、誰でも手軽にスタイル出来る、つむじ部分の毛髪を立ち上がらせる為の装着具を提供する。【解決手段】プラスチック素材のスポンジを巻いたクリップ状の装着具を、つむじ周辺の毛髪の根元に挟み込むと自然とテンションがかかるので暫くそのまま装着した後、外してから手ぐしでなじませて整える。【選択図】図３
0003176877.tif 000002
【実用新案登録請求の範囲】
【請求項１】
プラスチック素材でスポンジを巻いたクリップ状の装着具を、毛髪のつむじの割れや潰れの解消のためや、ボリュームを出すことの目的として使用する、毛髪用装着具。
【考案の詳細な説明】
【技術分野】
【０００１】  本考案は、つむじ部分の毛髪に装着して、外した後に手ぐしでなじませるだけで、毛髪の立ち上がり、ボリューム感を出せる毛髪用装着具に関する。
【背景技術】
【０００２】  頭髪における癖としてつむじが割れる、潰れてしまいボリュームがないという問題が生じている。【０００３】  またヘアスタイル上で見た目が悪く、気にしている人はかなり多い。【０００４】  このような場合パーマネントウェーブをかけたり、カーラーでセットしたりしてボリュームを出す方法があるが一晩寝てしまうと元に戻り、自分で直すことが容易でなく、手間がかかりすぎで苦労する。【０００５】  またヘアスタイリング剤としてヘアースプレーやヘアワックスを使用する手段もあるがこれだけでは、長時間のヘアスタイルは維持できない。【０００６】  従来は、つむじ用ウィッグを着けたり、増毛などがあるが、高価であり手軽さがなく諦めたりしていた。
【先行技術文献】
【特許文献】
【非特許文献】
【考案の概要】
【考案が解決しようとする課題】
【０００７】  以上に述べた従来の方法は高価であり手軽さがなくスタイリング剤だけではスタイル維持が難しかった。【０００８】  本考案は、以上のような従来の欠点に鑑み、安価で誰でも手軽に問題部分だけを確実に長時間スタイル維持させる事を目的とするものである。
【課題を解決するための手段】
【０００９】  上記目的を達成するために、本考案は（［請求項１］の構成要件）とでつむじ部分の毛髪を立ち上がらせる装着具を構成している。
【考案の効果】
【００１０】  従来の技術では、つむじ部分の根元の毛髪を立ち上がらせる事は困難で維持することも難しかったが、この装着具を使用することで、特別な難しい技術なしで手軽につむじ部分の根元の強い癖を立ち上がらすことが出来る。【００１１】  以上の説明から明らかなように、本考案にあっては次に列挙する効果が得られる。
（１）本考案は、小型軽量で、安易に使用方法が理解でき装着が簡単。【００１２】（２）前記（１）によって、つむじ部分の毛髪が割れてしまう癖や、潰れてしまう癖が解消され自分の髪でボリュームアップすることが出来る。【００１３】癖の強さによっては、ヘアスプレーやヘアワックスなどのスタイリング剤を併用することで、より完璧なスタイル維持が出来る。【００１４】  誰でも簡単に装着することが出来る上、つむじが目立たなくなり、仕上がりが見違えるほどの効果が得られる。
【図面の簡単な説明】
【００１５】
【図１】  本考案を実施するための装着具の閉じたときの図である。
【図２】  本考案を実施するための装着具の開いたときの図である。
【図３】  本考案を実施するための装着具を頭のつむじ部分の毛髪を含めて装着したときの図である。
【考案を実施するための形態】
【００１６】  以下、本考案の実施の形態を図に基づいて説明する。
【００１７】  図１は、本考案装着具の形態で頭の丸みに沿うように湾曲している。
【００１８】  図２は、毛髪にクリップ跡がつかないようにスポンジ状のものを巻きつけている。
【実施例１】
【００１９】  図３は、実際に毛髪に装着した時の状態である。
【図１】
0003176877.tif 000003
【図２】
0003176877.tif 000004
【図３】
0003176877.tif 000005
【手続補正書】
【提出日】平成24年2月16日(2012.2.16)
【手続補正１】
【補正対象書類名】実用新案登録請求の範囲
【補正対象項目名】全文
【補正方法】変更
【補正の内容】
【実用新案登録請求の範囲】
【請求項１】
プラスチックの軽量素材（形状は美容器具のダッカールの様な棒状）で、髪を挟みこんで使用する事を目的に、上下２本の棒状を組み合わせた端の片方は連結させ、もう片方の端には上下をきっちりと閉じられるように、引っ掛けて安定する事の出来る留め具を備えた１８０°以上閉開可能なクリップ状で、毛髪のつむじの割れや潰れの解消の為やボリュームを出す事を目的として使用する毛髪用装着具。
【手続補正書】
【提出日】平成24年4月12日(2012.4.12)
【手続補正１】
【補正対象書類名】実用新案登録請求の範囲
【補正対象項目名】全文
【補正方法】変更
【補正の内容】
【実用新案登録請求の範囲】
【請求項１】
スポンジが巻かれたプラスチック素材によって形成されたクリップ状の毛髪用装着具であって、一端が連結され他端に開閉可能な係合部を有する２つの長尺部材にて構成され、頭の丸みに沿うように湾曲していることを特徴とする毛髪用装着具。
(57)【要約】      （修正有）【課題】同サイズの容器を下から上に重ねることができる容器積み重ね用具を提供する。【解決手段】本体は前面を開放された鉄材で構成した箱状で、左右に同じ高さに可動台を設ける。可動台は両先端部を丸パイプ、鉄板で一体形成されており、片側丸パイプは本体に固定された丸パイプの外側を回転することで軸となり、鉄板は本体の梁上部で水平を保つことで容器が固定され下側に空間が出来る。フォークリフトの動力で下から容器を押し上げると固定軸を中心に下からの圧力で上昇し、開放されたとき自重で元の位置に戻り、容器の淵を載せることが可能となる。【選択図】図１
0003176874.tif 000002
【実用新案登録請求の範囲】
【請求項１】
本体前面がフォークリフトで容器を出し入れ出来るように開放した箱状で、内面左右に同じ高さで台を装着し、その台はフォークリフトの動力で下から容器を押し上げると可動するところを特徴とする容器積み重ね用具。
【考案の詳細な説明】
【技術分野】
【０００１】  本考案は、同サイズの容器を下からフォークリフトで積み重ねる装置である。
【背景技術】
【０００２】  ２人での手作業、またハッカー（吊具）で吊り上げにより空容器を重ねていた。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  手作業による空容器積み重ね作業は身体の負荷、指先の挟まれや転倒の危険がある。さらに、ハッカーでの空容器吊り上げ積み重ね作業では、玉掛け時の手の挟まれ、荷の落下などの災害が指摘されていた。従って、フォークリフトで空容器を移動する事で積み重ねが可能となる装置を使用することで、前途の作業が廃止となり、楽に安全な作業をするものである。
【課題を解決するための手段】
【０００６】  本考案は、本体前面がフォークリフトで容器を出し入れ出来るように開放した箱状で、内面左右に同じ高さで台を装着し、その台はフォークリフトの動力で下から容器を押し上げると可動し、容器の淵が上がりきると自重で下がり容器の淵を載せることで、容器の下側に空間が出来る。
その空間に別容器をフォークリフトで入れこみ上昇すると、容器が重なり問題を解決している。
【考案の効果】
【０００７】  上述の様に、本考案の空容器積み重ね用具はフォークリフトで空容器を重ねる事ができ、手作業、ハッカーでの吊り上げ作業と代わり、楽に安全な作業として役に立つ。
【図面の簡単な説明】
【０００８】
【図１】  本考案の空容器積み重ね用具の一実施例を示す全体図である。
【図２】  可動台の一部切欠断面図である。
【考案を実施するための形態】
【０００９】  積み重ね用具の両側に設けた可動台は固定軸を中心に下からの圧力で上昇し、開放されたとき自重で下の位置に戻り、容器の淵を載せることが可能となる。
また、可動台の先端を丸くすることで、抵抗が緩和され容器の破損防止となる。また、容器を出し入れ出来るように前面が開放した箱状である為、梁を外側に設けることで柱の固定強度を保つことが可能となる。
【実施例】
【００１０】  以下、添付図面に従って一実施例を説明する。▲１▼は鉄素材にて一体化形成された積み重ね用具本体、▲２▼は空容器の淵を載せるために本体▲１▼内に設けた可動台で、この可動台▲２▼は、▲６▼丸パイプと▲７▼鉄板と▲８▼丸パイプの一体化で、▲４▼丸パイプを軸に▲５▼鉄角材をストッパーとし、▲６▼丸パイプが上下するので、フォークリフトで空容器を下から上に次々と重ねる。【００１１】  ▲３▼は前記用具本体▲１▼の柱固定強度を保つための梁で安全上必要である。
【符号の説明】
【００１２】１  用具本体
２  可動台
３  梁
４  丸パイプ
５  鉄角材
６  丸パイプ
７  鉄板
８  丸パイプ
【図１】
0003176874.tif 000003
【図２】
0003176874.tif 000004
【手続補正書】
【提出日】平成24年2月2日(2012.2.2)
【手続補正１】
【補正対象書類名】実用新案登録請求の範囲
【補正対象項目名】全文
【補正方法】変更
【補正の内容】
【実用新案登録請求の範囲】
【請求項１】
本体内部に容器の淵を乗せる可動台を設置、当該可動台は両先端部を丸パイプとし、鉄板で一体形成、片側丸パイプは本体外側に固定した丸パイプの外側を回転することで軸となり、鉄板は本体の梁上部で水平を保つところを特徴とする容器積み重ね用具。
【手続補正２】
【補正対象書類名】図面
【補正対象項目名】全図
【補正方法】変更
【補正の内容】
【図１】
0003176874.tif 000005
【図２】
0003176874.tif 000006
【手続補正書】
【提出日】平成24年4月9日(2012.4.9)
【手続補正１】
【補正対象書類名】実用新案登録請求の範囲
【補正対象項目名】全文
【補正方法】変更
【補正の内容】
【実用新案登録請求の範囲】
【請求項１】
本体は前面をフォークリフトで容器を出し入れ出来るように開放された鉄材で構成した箱状で、左右に同じ高さに設けた可動台は、フォークリフトの動力で下から容器を押し上げると固定軸を中心に下からの圧力で上昇し、開放されたとき自重で元の位置に戻り、容器の淵を載せることが可能となる。
当核可動台は両先端部を丸パイプ、鉄板で一体形成されており、片側丸パイプは本体に固定された丸パイプの外側を回転することで軸となり、鉄板は本体の梁上部で水平を保つことで容器が固定され下側に空間が出来る。当核空間に同サイズの容器をフォークリフトで入れ込み押し上げると、容器が重なり固定され下側に空間が出来る。同サイズの容器を下から上に重ねるところを特徴とする容器積み重ね用具。
【手続補正２】
【補正対象書類名】図面
【補正対象項目名】全図
【補正方法】変更
【補正の内容】
【図１】
0003176874.tif 000007
【図２】
0003176874.tif 000008
(57)【要約】      （修正有）【課題】股間の蒸れを軽減する男性用パンツを提供する。【解決手段】一対の大凡２等辺３角形の布の間に内股、陰嚢、陰茎の間に仕切りの布を設けた形状のもので、構造は１対の２等辺３角形の等辺の一方を縫い代確保のために等辺に対して直角に切り落とし、台形状になった元の３角形の底辺の部分にゴムを縫い込んである。伸縮性を増す効果を得るために底辺の寸法より短い寸法のゴムを縫い込むために底辺の直線は湾曲する。この構造の物をゴムの部分が足の付け根の部分に入り込むように上に向けて等辺の切り落とされていない一辺をパンツ内側前方の両側に足の付け根の形状に合わせて逆八の字形に縫い付け、縫い代を設けた一方をパンツ内側後方の位置に縫い付ける。【選択図】図１
0003176879.tif 000002
【実用新案登録請求の範囲】
【請求項１】
男性特有と考えられる股間の蒸れを軽減するために、従来から有るそれ用の下着に改良を加え、選りその効果を高める形状にしたもの。
【考案の詳細な説明】
【技術分野】
【０００１】  本考案は、男性用パンツに関する。
【背景技術】
【０００２】  従来この分野の考案は成されている。
【考案の開示】
【考案が解決しようとする課題】
【０００３】  しかし、その形態に於いて、どの考案にも形状、使用感、或いは材質的に課題が感じられ、考案課題の目的を解決成されて無いと考えられる。
【課題を解決するための手段】
【０００４】  そこで、パンツの形状に拘わらず、男性の常に皮膚の触れ合う陰嚢陰茎と足の付け根の皮膚との間を隔離させるため、布が挟み込まれる形状のパンツを考案した。このような形状にする事により皮膚と皮膚の密着を防ぐものである。
【考案の効果】
【０００５】  それにより、常に密着していた陰嚢陰茎と足の付け根の部分が本考案の形状の物によって隔離され、蒸れる或いは汗ばむ等から解放され不快感が大幅に軽減されるものである。また、それから移行して行く疾患等も防ぐ事ができるものである。
【考案を実施するための最良の形態】
【０００６】  本考案は、図１、図２で示すようにパンツの内部に陰嚢陰茎と内股の皮膚を隔離するために図のような形状の布を取り付けてある。図２はそれの正面図であるが、上に広がる形は人体の下腹から続く足の構造に合わせた角度になっている。この様な構造にする事により陰部は締め付けなどによる窮屈な感じにはならず、自然に不快感から解放されるものである。また、使用する素材を速乾性に優れたものにする事でより快適さが増すものである。本考案の元の形は１″であるがゴムを使用することにより１の形に変形する。
【図面の簡単な説明】
【０００７】
【図１】  本考案を取り付けた状態の横から見た断面図である。
【図２】  本考案を取り付けた状態の正面図である。
【符号の説明】
【０００８】  １″    本考案の元の形
１      ゴムの取り付け部分
２      縫い付け部分
３      陰茎保護部
４      陰嚢保護部
５      縫い付け部分
【図１】
0003176879.tif 000003
【図２】
0003176879.tif 000004
【手続補正書】
【提出日】平成24年2月23日(2012.2.23)
【手続補正１】
【補正対象書類名】実用新案登録請求の範囲
【補正対象項目名】全文
【補正方法】変更
【補正の内容】
【実用新案登録請求の範囲】
【請求項１】
本考案を横から見て大凡三角形の布の斜線部分にゴムを縫い込む、体の動きに併せて伸び縮みする効果を得るためにゴムに少しの伸びる作用を加えた結果斜線部分は湾曲した状態となる、この形状の一対の布の間に図面３、４の陰嚢と陰茎を隔離するための仕切りとして布が２カ所取り付けてある、陰嚢はこの間に置かれる、陰嚢陰茎と内股の間にゴムの縫い込まれた湾曲部分が入り込む構造の股間の蒸れを軽減する男性用パンツ
【手続補正書】
【提出日】平成24年4月17日(2012.4.17)
【手続補正１】
【補正対象書類名】実用新案登録請求の範囲
【補正対象項目名】全文
【補正方法】変更
【補正の内容】
【実用新案登録請求の範囲】
【請求項１】
一対の大凡２等辺３角形の布の間に内股、陰嚢、陰茎が直接触れないように内股、陰嚢、陰茎の間に仕切りの布を設けた形状のもので、構造は１対の２等辺３角形の等辺の一方を縫い代確保のために等辺に対して直角に切り落とし、台形状になった元の３角形の底辺の部分にゴムを縫い込い込んである、伸縮性を増す効果を得るために底辺の寸法より短い寸法のゴムを縫い込むために底辺の直線は湾曲する、この構造の物をゴムの部分が足の付け根の部分に入り込むように上に向けて等辺の切り落とされていない一辺をパンツ内側前方の陰部の両側に足の付け根の形状に合わせて逆八の字形に縫い付け、縫い代を設けた一方をパンツ内側後方に内股と陰嚢の接触を防ぐための仕切りが効果ある位置に縫い付けた構造の股間の蒸れを軽減する男性用パンツ
(57)【要約】【課題】板こんにゃくから容易に複数個のサイコロ状のこんにゃくブロックに分割することができる加工こんにゃくを提供する。【解決手段】加工こんにゃくは平面形状が長方形の板こんにゃく１であって、その片面側において縦方向ならびに横方向に格子状に５ｍｍ前後のピッチで深さの浅い切り目５を入れてあり、この板こんにゃくの横方向中央に深さの浅い切り目５よりも深さの深い切り目４を入れ、またこの板こんにゃくの長さ方向に等間隔おきに複数個所で深さの浅い切り目５よりも深さの深い切り目３を入れるので、容易に複数個のサイコロ状のこんにゃくブロック２に分割することができ、こんにゃくブロック２には調味料が浸み込み易い。【選択図】図３
0003176827.tif 000002
【実用新案登録請求の範囲】
【請求項１】
平面形状が長方形の板こんにゃくであって、その片面側において縦方向ならびに横方向に格子状に５ｍｍ前後のピッチで深さの浅い切り目を入れてあり、この板こんにゃくの横方向中央に前記深さの浅い切り目よりも深さの深い切り目を入れ、またこの板こんにゃくの長さ方向に等間隔おきに複数個所で前記深さの浅い切り目よりも深さの深い切り目を入れてなることを特徴とする加工こんにゃく。
【考案の詳細な説明】
【技術分野】
【０００１】
加工こんにゃくに関する。
【背景技術】
【０００２】
従来、板こんにゃくに切り込みを入れた加工こんにゃくとして、たとえば特許文献１に開示されているものが知られている。この特許文献１に記載される加工こんにゃく１０を図４に示しており、加工こんにゃく１０は、調味料をからませやすくするために、直方体形状の板こんにゃく本体の両側部に、中央部を残して複数の縦方向および横方向からのスリット１１，１２を設けて側脚片１３が形成されたものである。
【先行技術文献】
【特許文献】
【０００３】
【特許文献１】実開平７−１８４５６７号公報
【考案の概要】
【考案が解決しようとする課題】
【０００４】
特許文献１に記載の加工こんにゃくでは、両側部に、中央部を残して複数の縦方向および横方向からのスリットを設けて側脚片１３が形成されるようになっているが、板こんにゃくを小口切りするために板こんにゃくの長さ方向適当間隔おきに切断スリットが形成されており、この切断スリットの部分で小口切りするのであるが、小口切りされたこんにゃくブロックは細長いものとなり、ほぼサイコロ状のこんにゃくブロックとはなり得なかった。
【０００５】
本考案の目的は、板こんにゃくを手でちぎることにより簡単にサイコロ状のこんにゃくブロックを作ることができ、しかも味が浸み込み易い加工こんにゃくを提供することである。
【課題を解決するための手段】
【０００６】
この課題を解決するために請求項１に記載の考案は、平面形状が長方形の板こんにゃくであって、その片面側において縦方向ならびに横方向に格子状に５ｍｍ前後のピッチで深さの浅い切り目を入れてあり、この板こんにゃくの横方向中央に前記深さの浅い切り目よりも深さの深い切り目を入れ、またこの板こんにゃくの長さ方向に等間隔おきに複数個所で前記深さの浅い切り目よりも深さの深い切り目を入れてなることを特徴とする。
【考案の効果】
【０００７】
請求項１に記載の考案によれば、縦方向ならびに横方向に格子状に５ｍｍ前後のピッチで深さの浅い切り目を入れてあり、深さの浅い切り目よりも深い切り目が横方向中央と長さ方向に等間隔おきに入れてあるので、調理に使用するとき、深さの深い切り目の部分で手でちぎることにより、ほぼサイコロ状のこんにゃくブロックが多数形成され、包丁を使用する必要がなくなる。しかも、ほぼサイコロ状のこんにゃくブロックにはそれぞれ深さの浅い切り目が形成されているので、味が浸み込みやすくなる。
【図面の簡単な説明】
【０００８】
【図１】本考案の一実施形態に係る加工こんにゃくの斜視図である。
【図２】同収納袋に収納した状態の加工こんにゃくの斜視図である。
【図３】同加工こんにゃくから一つのブロックを分離した状態の斜視図である。
【図４】従来の加工こんにゃくの斜視図である。
【考案を実施するための形態】
【０００９】
以下、本考案の一実施形態について図１〜図３に基づいて説明する。加工される板こんにゃく１は、平面形状が長方形の直方体であり、たとえば、縦１２０ｍｍ，横７０ｍｍ，厚み２５ｍｍとされる。板こんにゃく１には、板こんにゃく１を長さ方向に４等分するように、深さの深い切り目３が等間隔を置いて３箇所形成されている。さらに、横方向中央には、板こんにゃく１を横方向に２等分するように前記切り目３と同様に深さの深い切り目４が形成されている。この深い切り目３，４により仕切られている各ブロック部分の片面側には、縦（長さ）方向と横方向とに前記切り目３，４より深さの浅い切り目５が格子状に形成されている。深い切り目３，４の深さは、たとえば１５ｍｍ程度であり、浅い切り目５の深さは、たとえば８ｍｍ程度とされ、浅い切り目５のピッチは５ｍｍ前後とされる。
【００１０】
上記のように加工された板こんにゃく１は収納袋６に収納されている。収納袋６として透明な樹脂製の袋が用いられる。ほぼサイコロ状のこんにゃくブロック２は、複数個に切り離されておらず一体的につながっているので、板こんにゃく１の形が崩れにくく、外部から収納袋６に加わる力を緩和する緩衝材として大量の水を収納袋６に充填することを要しないが、加工された板こんにゃく１が収納される収納袋６には、品質を保持するための少量の水が充填されている。収納袋６に充填する水を少量とすることができるので、収納袋６をコンパクトにすることができる。
【００１１】
加工された板こんにゃく１は、一方側の面が８つのブロック２に分離されているので、加工された板こんにゃく１を収納袋６から取り出して、必要な数のこんにゃくブロック２を１つずつ手でちぎって容易に複数個のこんにゃくブロック２に分割することができる。こんにゃくブロック２をちぎり取って残ったこんにゃくブロック２は、複数個に分離されておらず一つの塊として保管可能であるので嵩張らない。なお、各こんにゃくブロック２の一方側の面には、縦方向と横方向とに格子状に深さの浅い切り目５が入れられているので調味料が浸み込み易い。
【００１２】
このように、加工こんにゃくは平面形状が長方形の板こんにゃく１であって、その片面側において縦方向ならびに横方向に格子状に５ｍｍ前後のピッチで深さの浅い切り目５を入れてあり、この板こんにゃく１の横方向中央に深さの浅い切り目５よりも深さの深い切り目４を入れ、またこの板こんにゃく１の長さ方向に等間隔おきに複数個所で深さの浅い切り目５よりも深さの深い切り目３を入れているので、板こんにゃく１を収納袋６から取り出してちぎって容易に複数個のこんにゃくブロック２に分割することができる。こんにゃくブロック２には深さの浅い切り目が形成されているので調味料が浸み込み易い。
【符号の説明】
【００１３】
１  板こんにゃく
２  こんにゃくブロック
３，４  深い切り目
５  浅い切り目
６  収納袋
【図１】
0003176827.tif 000003
【図２】
0003176827.tif 000004
【図３】
0003176827.tif 000005
【図４】
0003176827.tif 000006
(57)【要約】      （修正有）【課題】非常用の安全ベルト帯を兼ねたベルト帯で、ファッション性や重量面を考慮に入れ、違和感なく日常装着ができるロープ内蔵ベルト帯を提供する。【解決手段】九十九折りに束ねたロープ５を取り出し可能な状態で芯材とし、ベルト帯２の本体に挟み込んで内蔵した。【選択図】図１
0003177122.tif 000002
【実用新案登録請求の範囲】
【請求項１】
九十九折りに束ねたロープを、取り出し可能な状態で芯材とし、ベルト帯の本体に挟み込んで内蔵したことを特徴とする、ロープ内蔵ベルト帯。
【請求項２】
請求項１記載のロープを密に束ねて芯材とし、それをフィルム状の薄さの素材で挟むことにより、ベルト帯としての強度と柔軟さを持ち合わすことを特徴とする、ロープ内蔵ベルト帯。
【請求項３】
請求項１記載のロープは、耐荷重を満たすポリエステル樹脂や合成繊維の素材とし、糸状に細くすることによりベルト帯本体の全長に、可能な限りの長さのロープが内蔵できることを特徴とする、ロープ内蔵ベルト帯。
【請求項４】
請求項１記載のロープを、ベルト帯本体の幅に並行に沿わせて内蔵することにより、引き出し孔より取り出しが円滑にできることを特徴とする、ロープ内蔵ベルト帯。
【考案の詳細な説明】
【技術分野】
【０００１】
この考案は、日常装着ができるベルト帯にロープを内蔵し、非常時にこのロープを活用して身体保護をする安全ベルト帯兼用の、ロープ内蔵ベルト帯に関するものである。
【背景技術】
【０００２】
通常の安全ベルト帯の多くは、各種作業に応じての使用が目的で、危険に対してのあらかじめの予防として装備、装着をするものである。それゆえにファッション性や重量面などにおいては一般的なベルト帯としての日常装着への考慮は余りなされてはいない。日常装着ができ、安全ベルト帯を兼ねたものに特許文献１があるが、本案とは様式が異なり非常用としての身体保護機能の考慮には欠けるものである。
【考案の概要】
【考案が解決しようとする課題】
【０００３】
通常の安全ベルト帯は、日常装着に不向きな点を考慮し、本案は九十九折りに束ねたロープを取り出し可能な状態で芯材とし、ベルト帯の本体に挟み込んで内蔵したことを特徴とするロープ内蔵ベルト帯であり、ファッション性を損なうことなく日常装着ができ、非常時の安全ベルト帯としての用途も兼ね備えることを目的とした。
【課題を解決するための手段】
【０００４】
従来の安全ベルト帯の形態に比べ、図１のように九十九折りに束ねたロープを取り出し可能な状態で芯材とし、ベルト帯の本体に挟み込んで内蔵したことを特徴とする、ロープ内蔵ベルト帯であり、内蔵するロープに付属する用具もベルト帯の裏面でコンパクトに収納できファッション的にも違和感がない。また極端な重量増の負担もなく、日常装着用のベルト帯として問題点を解決する、安全ベルト帯兼用の、ロープ内蔵ベルト帯である。
【考案の効果】
【０００５】
このような構成により、日常生活での装着に安全ベルト帯としての役割も果たし、万が一の非常時には内蔵ロープと付属具の活用により危険場所からの避難や、身体保護の可能性が高められることになる。
【図面の簡単な説明】
【０００６】
【図１】本考案のロープ内蔵ベルト帯の平面図と部分断面図である。
【図２】本ロープ内蔵ベルト帯の付属具平面図である。
【図３】本ロープ内蔵ベルト帯の立面図である。
【図４】本ロープ内蔵ベルト帯付属具の実施斜視図である。
【考案を実施するための形態】
【０００７】
本考案は図１で示すようなベルト帯で、九十九折りに束ねたロープを取り出し可能な状態で芯材とし、ベルト帯の本体に挟み込んで内蔵したことを特徴とする、ロープ内蔵ベルト帯であり、内蔵ロープを密に束ねて芯材となるものをフィルム状の薄さの素材で挟むことにより、ベルト帯としての強度と柔軟さを持ち合わせている。内蔵ロープの素材はポリエステル樹脂や合成繊維で耐荷重を満たして糸状の細さにすることにより、ベルト帯の全長に可能な限りの長さのロープを内蔵することができる。またロープはベルト帯本体の幅に並行に沿わせて内蔵することにより、引き出し孔より取り出しが円滑にできベルト帯本体裏面の付属具３、４と連結されていて引き出したロープは図４のように柱や手摺りバーなどに巻きつけて４で固定する。次にベルト帯本体の末端部に内蔵の６を引き抜き３を介して６は左手に巻きつけて持つ。３と１１は右手に持って１０を押圧しながら体荷重によってベルト帯から引き出されていくロープをレールとしながら、スライド降下のスピードコントロールをして、危険場所とする上階より階下へと避難脱出を可能とする形態を成している。
【実施例１】
【０００８】
一般家屋、ビル等の上階に所在の時、地震や火災により非常口確保が不可の際、ベランダや窓口よりベルト帯のロープ５付属具３、４を活用し、階上から階下へのスライド下降をして危険場所からの避難脱出をする。
【実施例２】
【０００９】
河川の増水などによる水害時、ベルト帯本体２から付属具３を外し、４の付いた先端ロープを引き出して樹木などに巻きつけて固定し、水流に流されないように身体保護をする。また溺れている人に対しては、４の付いた先端ロープで浮遊物体（ペットボトルなど）を巻きつけ、水面に投下し救出用のサポートロープとしての活用も可能である。
【符号の説明】
【００１０】
１  口金
２  ベルト帯
３  取手止め具
４  固定用ピン
５  ロープ
６  補助ロープ
７  ピン
８  鳩目
９  止めバンド
１０  ゴムバンド
１１  補助バンド
１２  止めテープ
【特許文献１】特開２００９−０４５３３１
【００１１】
特許公開２００９−０４５３３１の発明の名称：安全ベルトは腰に巻き付けて着用する安全ベルトであって、一般の作業ズボンのベルトとして着用することができるコンパクトで使いやすい安全ベルト。
【図１】
0003177122.tif 000003
【図２】
0003177122.tif 000004
【図３】
0003177122.tif 000005
【図４】
0003177122.tif 000006
(57)【要約】      （修正有）【課題】ギフトボックスにビデオモジュールを内蔵して、蓋を開いたときにビデオが自動的にスタートするようにしたギフトボックスを提供する。【解決手段】ビデオ付ギフトボックス１は、本体２と蓋３からなり、本体２には、ギフト等を収容する収容部４と、本体内部の底又は側壁に電子回路を内蔵する。蓋部３の内側には、ビデオを再生し表示する表示部５、スピーカー、音量スイッチ（ＵＰ）７、音量スイッチ（ＤＯＷＮ）８、光センサー６を備える。蓋部の表示部５等と本体の電子回路とは信号線で接続している。ビデオ付きギフトボックスの蓋が閉じていると、表示部などへの電源をオフしているが、光センサーによる光検出関連の電子回路には常に電気を供給している。蓋を開けると、光センサーが光を検出し、ビデオモジュール、表示部などの電源をオンにし、電源が安定した状態で、ビデオの再生を開始する。【選択図】図１
0003177190.tif 000002
【実用新案登録請求の範囲】
【請求項１】
ビデオモジュール、表示部、光センサー、制御部、バッテリーを有する電子回路を備えた蓋付のギフトボックスで、光センサーが光を検出したとき、蓋を開けたと判断して、ビデオを再生するようにしたことを特徴とするギフトボックス。
【請求項２】
上記光センサーを蓋部の内側に取り付けたことを特徴とする請求項１記載のギフトボックス。
【考案の詳細な説明】
【技術分野】
【０００１】ギフトボックスにビデオモジュールを内蔵して、蓋を開いたときにビデオが自動的にスタートするようにしたギフトボックスに関する。
【背景技術】
【０００２】従来のボックスでは蓋の開閉の検出にマグネットスイッチやスライド式スイッチを使用している。
【先行技術文献】
【特許文献】
【０００３】
【特許文献１】特開平１１−７８６３公報
【考案の概要】
【考案が解決しようとする課題】１）従来のギフトボックスでは映像・音声を再生できない。
２）ギフトボックスでは、蓋の開閉を検出するスイッチを取り付けるスペースが限られる。【０００４】
【課題を解決するための手段】
【０００５】本考案は、本体と蓋部からなり、ビデオモジュール、表示器、光センサーを備えたギフトボックスであって、蓋を開けたときに、光センサーが光を検出して、ビデオモジュール、表示部の電源をオンにしてビデオを自動的に再生するようにしたことを特徴とするビデオ付ギフトボックス。【０００６】上記光センサーを蓋部の内側に取り付けたことを特徴とするギフトボックス。
【考案の効果】
【０００７】本考案は、映像、音声を再生する事により驚きや楽しみのあるギフトボックスを提供する。
【図面の簡単な説明】
【０００８】
【図１】本考案のビデオ付ギフトボックスの全体構成（外観）
【図２】本考案のビデオ付ギフトボックスの回路ブロック図
【考案を実施するための形態】
【０００９】本考案のビデオ付きギフトボックスは、チョコレート、花、又はアクセサリーなどの蓋付きの収容ボックスで、蓋を開けたときに、ビデオを再生する表示部を設けて、映像と音でギフトの楽しみを増強させるものである。
図１は、本考案のビデオ付ギフトボックスの全体構成（外観）で、蓋を開けた状態を示している。
ビデオ付ギフトボックス１は、本体２と蓋３からなり、本体２には、ギフト等を収容する収容部４と、本体内部の底又は側壁に電子回路９を内蔵する。
蓋部３の内側には、ビデオを再生し表示する表示部５、スピーカー１２、音量スイッチ（ＵＰ）７、音量スイッチ（ＤＯＷＮ）８、光センサー６を備える。
蓋部の表示部５等と本体の電子回路とは信号線で接続している。
【００１０】ビデオ付きギフトボックスの蓋が閉じていると、表示部などへの電源をオフしているが、光センサーによる光検出関連の電子回路９には常に電気を供給している。
蓋を開けると、光センサーが光を検出し、ビデオモジュール、表示部などの電源をオンにし、電源が安定した状態で、ビデオの再生を開始する。
音量スイッチ（ＵＰ）７、音量スイッチ（ＤＯＷＮ）８により、音量を制御できる。
【００１１】図２は、本考案のビデオ付ギフトボックスの電子回路部９の回路ブロック図である。
電子回路９は、液晶や有機ＥＬ等による表示部５、ビデオの圧縮伸長を行うビデオモジュール１１、スピーカー１２、硫化カドミウム等を用いた光センサー６、スピーカー６。音量スイッチ（ＵＰ）７、音量スイッチ（ＤＯＷＮ）８、マイクロプロセッサーを搭載した制御部１０やバッテリー１３、外部とインターフェイスとしてＵＳＢ端子１４などを備える。
制御部１０は、光センサーの受光量をスキャンして、受光量が一定値以上であれば、蓋が開いたことを検知し、表示部、ビデオプロセッサーなどに電源を供給し、ビデオを再生する。
蓋が閉まると、受光量が一定値以下になり、ビデオモジュール、表示部などの電源をオフにし節電モードに移行する。
【産業上の利用可能性】
【００１２】結婚式の引き出物や、商業用カタログ、高級ギフトセットでのビデオによる広告宣伝を提供する。
【符号の説明】
【００１３】１    ビデオ付ギフトボックス
２    本体
３    蓋部
４    収容部
５    表示部
６    光センサー
７    音量スイッチ（ＵＰ）
８    音量スイッチ（ＤＯＷＮ）
９    電子回路
１０  制御部
１１  ビデオモジュール
１２  スピーカー
１３  バッテリー
１４  ＵＳＢ端子
【図１】
0003177190.tif 000003
【図２】
0003177190.tif 000004
(57)【要約】      （修正有）【課題】走行が軽く、設置に場所の取らない、四輪仕様のショッピングカーを提供する。【解決の手段】４輪で乳母車の様に後から押すのではなく自分の脇に沿わせて歩ける様車輪を持ち手と平行に固定し、それにより、場所は取らない、軽くもなり、杖代わりにも成る。タイヤは１０ｃｍ前後のゴムタイヤ。【選択図】図３
0003177182.tif 000002
【実用新案登録請求の範囲】
【請求項１】
既存のショッピングカーは二輪なので支えとしてアルミの足が出ているため後から引っ張って歩く事は通行人の邪魔に成る重くも有る。（図１）
これを防ぐ為に四輪にして乳母車の様に押すのではなく使用者の脇に沿わせて歩ける様に車輪は持ち手と平行に固定する場所を取らないで歩ける様に考案した。
【考案の詳細な説明】
【考案が解決しようとする課題】
【０００１】台車の二輪を四輪に変更する事である、
車輪は持ち手の進行方向に固定させる事
既存の二輪車は支えの足が出ているので場所を取る、後から引っ張る事はかなり重い。
【課題を解決する為の手段】
【０００２】四輪でも乳母車の様に押すのではなく
車輪は四輪で使用者の脇に沿わせて歩ける様に進行方向に固定する。
車輪は１０ｃｍ前後のゴムのタイヤ
【考案の効果】
【０００３】四輪にする事で自分の脇に沿わせて歩く事は軽くも成り、場所を取らない
年配の方には杖代わりにも軽くも成る．
【図面の簡単な説明】
【０００４】
【図１】既存の二輪車  後から引っ張る
【図２】既存の二輪車で支えの足が出ている  持ち手と車輪は直角の方向で有る．
【図３】四輪  自分の脇に沿わせて進行する
【図４】四輪台車の部分  持ち手と車輪は平行に固定。
【図１】
0003177182.tif 000003
【図２】
0003177182.tif 000004
【図３】
0003177182.tif 000005
【図４】
0003177182.tif 000006
【手続補正書】
【提出日】平成24年5月11日(2012.5.11)
【手続補正１】
【補正対象書類名】実用新案登録請求の範囲
【補正対象項目名】全文
【補正方法】変更
【補正の内容】
【実用新案登録請求の範囲】
【請求項１】
持ち手を有する四輪のショッピングカーであって、使用者の脇に沿わせて歩ける様に車輪を持ち手と平行に固定した事を特徴とするショッピングカー。
(57)【要約】      （修正有）【課題】家庭の台所で、日常的に食物の調理や保存などに利用されるビニール袋に代わる丈夫な袋を提供する。【解決手段】化学的に安定し、高温や低温にも耐えられ、強度と柔軟性を併せ持ち、食用上問題の無い材質の、シリコンゴムのような材料で袋を作り、食物の調理や保存に使用する。【選択図】図１
0003177184.tif 000002
【実用新案登録請求の範囲】
【請求項１】
化学的に安定し、高温や低温にも対応でき、強度と柔軟性を兼ね備え、食用上も問題の無い材質のシリコンゴムのような材料で袋を作り、食物の調理や保存に使う。
【考案の詳細な説明】
【技術分野】
【０００１】
食物の調理や保存において使用する為の丈夫で安全で使い勝手の良い袋を考案したものである。
【背景技術】
【０００２】
食物の調理や保存の際にビニール袋が利用される機会が多いが、ビニール袋は便利で重宝する反面、破れ易く熱にも弱い欠点があり、使用範囲がかなり制限される。
【考案の概要】
【考案が解決しようとする課題】
【０００３】
食物を調理する過程において、袋の中に食材を入れて袋の外から力を加え揉み込んだりする際に、袋が簡単に破れない事。
【０００４】
食物の保存に際して、袋の中に食材を入れたまま冷凍したり、電子レンジで解凍したりできる事。
【０００５】
袋の中に食材を入れた場合に、袋の材質が食用に安全で、長期に使用しても人体に害がない事。
【課題を解決するための手段】
【０００６】
化学的にも安定で、強度と柔軟性にも優れ、高温・低温にも対応して、食用上問題の無い材質のシリコンゴムのような材料で袋を作る。
【考案の効果】
【０００７】
食物の調理において食材を袋の中に入れて混ぜ合わせる目的で揉み込む際に、力を入れて丁寧に揉み込め、手も汚れない。
【０００８】
柔らかい袋に入れて食物を冷凍保存する場合に、冷凍庫のスペースに合った形が取れ、収納しやすい。
【０００９】
袋の中に入れて冷凍保存した食物を解凍する際に、袋の口を開ければ、袋のまま電子レンジで解凍・加熱が出来る。
【００１０】
化学的に安定で食用上も問題の無い材質の材料で作られた袋であるから、食物の長期保存などの使用に耐えられる。
【図面の簡単な説明】
【００１１】
【図１】本考案のクッキングバッグの口を閉めた実施例の斜位図
【図２】本考案のクッキングバッグの口を閉じる前の実施例の斜位図
【図３】本考案のクッキングバッグの正面図と側面図と平面図
【考案を実施するための形態】
【００１２】
化学的にも安定で、強度と柔軟性にも優れ、高温・低温にも対応して、食用上も問題の無い材質のシリコンゴムのような材料で袋を作る。
【００１３】
袋の底は半球面体または半楕円体にして角の無いようにし、袋の口に向かって円柱形または楕円柱形とし、徐々に広くする。
【００１４】
袋の口は紐やベルトのようなもので締める事とする。
【符号の説明】
【００１５】
１  クッキングバッグ
２  紐やベルト
３  食材
【図１】
0003177184.tif 000003
【図２】
0003177184.tif 000004
【図３】
0003177184.tif 000005
【手続補正書】
【提出日】平成24年5月20日(2012.5.20)
【手続補正１】
【補正対象書類名】実用新案登録請求の範囲
【補正対象項目名】全文
【補正方法】変更
【補正の内容】
【実用新案登録請求の範囲】
【請求項１】
化学的に安定し、高温や低温にも対応でき、強度と柔軟性を兼ね備え、食用上も問題の無い材質のシリコンゴムのような材料で袋を作り、食物の調理や保存に使うクッキングバック。
(57)【要約】      （修正有）【課題】ベッドからポータブルトイレに楽に移動が出来て、座ったままの状態で簡単におしり拭きができ、ポットが外せて臭いがこもらない多目的チェアーを提供する。【解決手段】背もたれ１が倒れ足置き５が上がり、全体がフラットになる多目的チェアーであって、椅子の座の部分６に四角形のスライド板でふさがれた便器と同じ大きさの穴を設け、前記スライド板を後方に引き出し前記スライド板の穴の下にポットを置く事でポータブルチェアーになるようにして多目的チェアーを形成する。【選択図】図１
0003177165.tif 000002
【実用新案登録請求の範囲】
【請求項１】
背もたれが倒れ足置きが上がり全体がフラットになる多目的チェアーであって背もたれと足置きを使いフラットにしてベッドからの移動が楽にでき背もたれと足置きを元に戻す事で椅子に座った状態になる事を特徴とする多目的チェアー。
【請求項２】
ポットの上部に腕が入る穴があけてありそこから腕を入れ容易に拭け、後方よりポットが引き出せる事を特徴とする多目的チェアー。
【請求項３】
椅子の座の部分に便器と同じ穴をふさいでいる板を後方より引きその事により穴が空いた状態にして板をひいた場所にポータブルのポットを差し込む事を特徴とする多目的チェアー
【考案の詳細な説明】
【技術分野】
【０００１】  本考案は多目的チェアーの背もたれが倒れ、足置きを上げて全体をフラットにして、被介護者のベッドの横に置き寝たままの状態により寝返りをうたせるか、シーツで移動させ背もたれを起こし足置きを下げ元の状態に戻してポットを設置しポータブルトイレにして、排便後のおしり吹きを容易にしたキャスター付きの多目的チェアーである。
【背景技術】
【０００２】  今までは介護者が被介護者を抱き抱えベッドからポータブルトイレに移動させ排便後は被介護者が腰を上げるか介護者の首に手を回し介護者が被介護者を持ち上げておしりを拭く方法しかなかった。
【考案の概要】
【考案が解決しようとする課題】
【０００３】  ベッドで寝たきりの方も楽にポータブルトイレに移動でき、排便後も腰を上げることなく楽におしりを拭けるようにする。
【課題を解決するための手段】
【０００４】  本考案はベッドから楽にポータブルトイレに移動でき排便の後も楽におしり拭きができるように解決している。
【考案の効果】
【０００５】  本考案によりベッドからポータブルトイレに移動させることが容易になり、排便後の始末も楽になり介護者も被介護者も肉体的にも精神的にも満足して頂ける。
【図面の簡単な説明】
【０００６】
【図１】横から見た図面
【図２】斜め上から見た図面
【図３】後ろから見た図面
【考案を実施するための形態】
【０００７】  多目的チェアーの背もたれを倒し、足置きをそれぞれの補助台によりフラットの状態にさせ被介護者をベッドから移動して背もたれ足置きを元に戻すことにより椅子に座った状態になる。
【実施例】
【０００８】  以下、添付図面に従って実地例を説明する。
本体は耐久性と介護者の身長に合わせて作れる加工性に優れた木材によるストッパー付のキャスターを使用した多目的チェアーである。▲１▼の背もたれを倒し▲２▼の補助板でフラットにし▲３▼の手すりで▲２▼の補助板を固定させ▲４▼の補助板で▲５▼の是置きをフラットにし、ベッドの横にセットして被介護者を移動して▲１▼の背もたれ▲５▼の足置きを元の位置に戻し▲３▼の手すりを▲６▼の座の部分に固定させ▲６▼の座の部分から▲７▼のスライド板をはずし▲８▼のポットをセットしてポータブルトイレにして排便の後ポットの上部に腕が入る▲９▼の切り込みがあけてあるのでそこから腕を入れおしりを拭き終わったら▲８▼のポットごと後部から引き出すことにより臭いがこもらない。
【符号の説明】
【０００９】▲１▼背もたれ▲２▼背もたれ補助台▲３▼手すり▲４▼足置き補助台▲５▼足置き▲６▼座の部分▲７▼スライド板▲８▼ポット▲９▼腕が入る切り込み
【図１】
0003177165.tif 000003
【図２】
0003177165.tif 000004
【図３】
0003177165.tif 000005
【手続補正書】
【提出日】平成24年5月2日(2012.5.2)
【手続補正１】
【補正対象書類名】実用新案登録請求の範囲
【補正対象項目名】全文
【補正方法】変更
【補正の内容】
【実用新案登録請求の範囲】
【請求項１】
背もたれが倒れ足置きが上がり全体がフラットになる多目的チェアーであって椅子の座の部分に四角形のスライド板でふさがれた便器と同じ大きさの穴があり前記スライド板を後方に引き出し前記スライド板の穴の下にポットを置く事でポータブルチェアーになる事を特徴とする多目的チェアー
【請求項２】
ポットは四角い箱型をした形状で手前側面の上部に楕円形の穴があけてありそこから容易に拭け後方からポットが引き出せることを特徴とする請求１記載の多目的チェアー